(57)【要約】      （修正有）【課題】種々の方向からの荷重に対して十分な連結強度を有していて、ブレスレットやネックレスのような環状製品の端部同士を連結する連結具として好適な環状製品用連結具を提供する。【解決手段】環状製品の一端部に設置される断面がＬ字型の第一連結具１と、その他端部に設置される第一連結具１に対応する形状の第二連結具とから成り、両者は腰掛け継手構造とされて、対向する一対の水平面３と二対の垂直面５、５ａにおいて密着し合い、水平面３に互いに吸着し合う磁着手段７が埋設されると共に、水平面３及び垂直面５ａに互いに係合し合う凹凸部９、１１が複数対形成され、凸部が凹部９、１１に係合することにより、第一連結具１に対する第二連結具の横滑りが阻止される。【選択図】図１
0003209470.tif 000002
【実用新案登録請求の範囲】
【請求項１】
環状製品の一端部に設置される断面がＬ字型の第一連結具と、前記環状製品の他端部に設置される前記第一連結具に対応する形状の第二連結具とから成り、前記第一連結具と前記第二連結具は腰掛け継手構造とされて、対向する一対の水平面と二対の垂直面において密着し合い、前記水平面に互いに吸着し合う磁着手段が埋設されると共に、前記水平面及び垂直面に互いに係合し合う凹凸部が複数対形成され、前記凸部が前記凹部に係合することにより、前記第一連結具に対する前記第二連結具の横滑りが阻止されることを特徴とする環状製品用連結具。
【請求項２】
前記垂直面に形成される凸部は半球状の突起であり、それに対応する凹部は横長溝である、請求項１に記載の環状製品用連結具。
【請求項３】
前記磁着手段は前記水平面に２対配置され、前記凹凸部は前記水平面と前記垂直面にそれぞれ２対形成される、請求項１又は２に記載の環状製品用連結具。
【考案の詳細な説明】
【技術分野】
【０００１】
本考案は環状製品用連結具に関するものであり、より詳細には、ブレスレットやネックレスのように、端部同士を連結することにより環状を呈する環状製品の端部に設置されて、当該端部同士を強固に連結するための環状製品用連結具に関するものである。
【背景技術】
【０００２】
ブレスレット、ネックレス、腕時計等の環状製品の中には、磁性体を用いて端部同士を連結することにより、環状を呈するようにしたものがある。その端部同士を連結するための連結具としては、例えば、特許文献１（特開２００２−１９１４１０号公報）に、対向面に磁石と係合手段である凹凸部を設け、対向する磁石同士を磁着させると共に凹凸部を係合させることにより、着脱可能に連結される止め具が開示されている。
【０００３】
この止め具の場合、ある程度の連結強度は見込めるが、特に縦横方向の荷重に対する抵抗力が十分とは言えず、縦横方向から強い荷重を受けた場合に外れてしまうおそれがあるため、その改善が求められていた。
【先行技術文献】
【特許文献】
【０００４】
【特許文献１】特開２００２−１９１４１０号公報
【考案の概要】
【考案が解決しようとする課題】
【０００５】
上述したように、従来開示されている止め具の場合は、ある程度の連結強度は見込めるが、特に縦横方向の荷重に対する抵抗力が十分とは言えず、縦横方向から強い荷重を受けた場合に外れてしまうおそれがあるため、その改善が求められていた。本考案は、このような要請に応えるためになされたもので、種々の方向からの荷重に対して十分な連結強度を有していて、ブレスレットやネックレスのような環状製品の端部同士を連結する連結具として好適な環状製品用連結具を提供することを課題とする。
【課題を解決するための手段】
【０００６】
上記課題を解決するための請求項１に記載の考案は、環状製品の一端部に設置される断面がＬ字型の第一連結具と、前記環状製品の他端部に設置される前記第一連結具に対応する形状の第二連結具とから成り、前記第一連結具と前記第二連結具は腰掛け継手構造とされて、対向する一対の水平面と二対の垂直面において密着し合い、前記水平面に互いに吸着し合う磁着手段が埋設されると共に、前記水平面及び垂直面に互いに係合し合う凹凸部が複数対形成され、前記凸部が前記凹部に係合することにより、前記第一連結具に対する前記第二連結具の横滑りが阻止されることを特徴とする環状製品用連結具である。
【０００７】
一実施形態においては、前記垂直面に形成される凸部は突起であり、それに対応する凹部は横長溝である。また、前記磁着手段は前記水平面に２対配置され、前記凹凸部は前記水平面と前記垂直面にそれぞれ２対形成される。
【考案の効果】
【０００８】
本考案に係る環状製品用連結具は上記のとおりであって、連結される第一連結具と第二連結具は腰掛け継手構造とされて、対向する水平面と垂直面において密着し合い、前記水平面に互いに吸着し合う磁着手段が埋設されると共に、前記水平面及び垂直面に互いに係合し合う凹凸部が複数対形成されていて、凸部が凹部に係合することにより連結は強固となり、種々の方向からの荷重に対して十分な連結強度を有し、以て、第一連結具に対する第二連結具の横滑りが阻止されて磁着状態が維持され、簡単には外れないという効果がある。
【図面の簡単な説明】
【０００９】
【図１】本考案に係る環状製品用連結具における第一連結具の表面及び裏面の構成を示す斜視図である。
【図２】本考案に係る環状製品用連結具における第二連結具の構成を示す斜視図である。
【図３】本考案に係る環状製品用連結具を利用した環状製品の平面図及び正面図である。
【考案を実施するための形態】
【００１０】
本考案を実施するための形態を、添付図面に依拠して説明する。本考案に係る環状製品用連結具は、環状製品の一端部に設置される断面がＬ字型の第一連結具１と、その他端部に設置される第一連結具１に対応する形状の第二連結具２とで構成される。第一連結具１と第二連結具２は断面Ｌ字形の腰掛け継手構造とされ、対向する一対の水平面３、４と二対の垂直面５、６、５ａ、６ａにおいて密着し合う。
【００１１】
対向する水平面３、４には、互いに吸着し合う磁着手段７、８が１対又は複数対埋設される。図示した例では、２対配置されている。磁着手段７、８は、共に永久磁石である場合と、一方が永久磁石で他方が磁性材である場合とがある。
【００１２】
対向する水平面３、４と垂直面５ａ、６には、互いに係合し合う凹凸部がそれぞれ１対又は複数対形成される。図示した例では、それぞれ２対形成されていて、水平面３、４に形成される凹凸部は、第一連結具１に形成されるダボ穴９と、第二連結具２に形成されるダボ１０である。ダボ１０は、ダボ穴９内に密に嵌合する。また、垂直面５ａ、６に形成される凹凸部は、第一連結具１の垂直面５ａに形成される横長溝１１と、第二連結具２の垂直面６に形成される半球状等の突起１２である。突起１２は、横長溝１１内において相対的にスライド移動可能となる。
【００１３】
上記凹凸部の凹凸関係は逆であってもよい。即ち、第一連結具１の方にダボ１０を形成し、第二連結具２の方にダボ穴９を形成することとしてもよい。また、第一連結具１の垂直面５ａの方に突起１２を形成し、第二連結具２の垂直面６の方に横長溝１１を形成することとしてもよい。そして、ダボ１０がダボ穴９に嵌合すると共に、突起１２が横長溝１１に係合することにより、第一連結具１と第二連結具２の結合関係が強固となり、第一連結具１に対する第二連結具２の横滑りが確実に阻止されて両者の磁着状態が維持され、簡単には外れないという効果がある。
【００１４】
第一連結具１と第二連結具２の各端面に、ブレスレット等の帯状本体２１の端部に突設される固定杆２２が嵌入固定される嵌入孔１３が複数穿設され、第一連結具１と第二連結具２は、各嵌入孔１３に固定杆２２が嵌入されることで、それぞれ帯状本体２１の端部に固定される。
【００１５】
そして、第一連結具１と第二連結具２は、水平面３、４に埋設されている磁着手段７、８によって互いに引き付け合って磁着し合い、また、水平面３、４に形成されているダボ穴９内にダボ１０が密に嵌合し、更に、垂直面５ａ、６に形成されている突起１２が横長溝１１内に係合することにより、第一連結具１と第二連結具２は緊密且つ堅固に結合し、第一連結具１に対する第二連結具２の横滑りが確実に阻止される。またその際、突起１２は横長溝１１内において相対的にスライド移動可能であるので、位置合わせの必要はない。第一連結具１と第二連結具２を外すときは、逆に操作する。
【００１６】
このようにして第一連結具１と第二連結具２が連結されることで、縦横方向、並びに垂直方向における連結強度が増加し、簡単には外れない環状製品が形成されることになる（図３参照）。
【符号の説明】
【００１７】
１    第一連結具
２    第二連結具
３、４    水平面
５、５ａ、６、６ａ    垂直面
７、８    磁着手段
９    ダボ穴
１０    ダボ
１１    横長溝
１２    突起
１３    嵌入孔
２１    帯状本体
２２    固定杆
【図１】
0003209470.tif 000003
【図２】
0003209470.tif 000004
【図３】
0003209470.tif 000005